(57)【要約】      （修正有）【課題】充電のための接続部を容易に保護することができる、デザイン性に優れた充電装置を提供する。【解決手段】筐体１１は、側面Ｐ１及び側面Ｐ１に対向する側面にジョイント１５を接続するためのジョイント接続孔２７を有している。ジョイント接続孔２７にジョイント１５の端部ｔ１５に設けられている凸部をはめ込むことによって、ジョイント１５を筐体１１に接続する。ジョイント接続孔２７は、長溝形状を有している。凸部をジョイント接続孔２７内に沿って移動させることによって、ジョイント１５をジョイント接続孔２７に沿って移動させることができる。ここで、ジョイント１５は、カバー１３と接続されている。凸部をジョイント接続孔２７に沿って移動させることによって、カバー１３もジョイント接続孔２７に沿って移動させることができる。これにより、筐体１１にカバー１３を取り付けたり、筐体１１からカバー１３を取り外したりすることができる。【選択図】図１
0003147014.tif 000002
【実用新案登録請求の範囲】
【請求項１】
充電しようとする機器に接続するための第１の接続部、
前記接続部を介して前記機器を充電する為の充電池部、
前記充電池部を充電するための外部機器を接続するための第２の接続部、
前記第１の接続部、前記充電池部、及び前記第２の接続部を有する筐体、
前記筐体に対して取り付け、取り外しが可能な蓋部であって、当該蓋部を前記筐体に取り付けた際に、前記第１の接続部を保護する蓋部、
を有することを特徴とする充電装置。
【請求項２】
充電しようとする機器に接続するための第１の接続部、
前記接続部を介して前記機器を充電する為の充電池部、
前記充電池部を充電するための外部機器を接続するための第２の接続部、
前記第１の接続部、前記充電池部、及び前記第２の接続部を有する筐体、
前記筐体に対して取り付け、取り外しが可能な蓋部であって、当該蓋部を前記筐体に取り付けた際に、前記第１の接続部を保護する蓋部、
を有する充電装置であって、
前記蓋部は、
ジョイント部を介して前記筐体と接続されており、
前記ジョイント部は、
前記筐体に対して、所定の方向にスライド可能であり、かつ、所定の位置において、回転可能であること、
を特徴とする充電装置。
【請求項３】
充電しようとする機器に接続するための第１の接続部、
前記接続部を介して前記機器を充電する為の充電池部、
前記充電池部を充電するための外部機器を接続するための第２の接続部、
前記第１の接続部、前記充電池部、及び前記第２の接続部を有する筐体、
前記筐体に対して取り付け、取り外しが可能な蓋部であって、当該蓋部を前記筐体に取り付けた際に、前記第１の接続部を保護する蓋部、
を有する充電装置であって、
前記蓋部は、
前記筐体の側面を覆うものであること
を特徴とする充電装置。
【請求項４】
充電しようとする機器に接続するための第１の接続部、
前記接続部を介して前記機器を充電する為の充電池部、
前記充電池部を充電するための外部機器を接続するための第２の接続部、
前記第１の接続部、前記充電池部、及び前記第２の接続部を有する筐体、
前記筐体に対して取り付け、取り外しが可能な蓋部であって、当該蓋部を前記筐体に取り付けた際に、前記第１の接続部を保護する蓋部、
を有する充電装置であって、
前記蓋部は、
伸縮可能なゴム素材で形成され、
前記筐体の側面を覆うものであること
を特徴とする充電装置。
【請求項５】
請求項１乃至４のいずれかに係る充電装置において、さらに、
前記充電池部を電源として発光する発光部、
を有する充電装置。
【請求項６】
請求項１乃至４のいずれかに係る充電装置において、さらに、
前記充電池部を電源として警報を発する警報部、
を有する充電装置。
【請求項７】
請求項６に係る充電装置において、
前記警報部は、
所定の位置から取り外されることによって、警報を発する作動スイッチ、
を有し、
前記作動スイッチは、
前記蓋部の動作に連動して、前記所定の位置から取り外されること、
を特徴とする充電装置。
【考案の詳細な説明】
【技術分野】
【０００１】
本考案は、充電装置に関し、特に、充電のための接続部を容易に保護することができる、デザイン性に優れた充電装置に関する。
【背景技術】
【０００２】
従来の充電装置の一つである携帯電話用充電器１００を図７を用いて説明する。携帯電話用緊急充電器１００は、凸状の本体１０２と、本体１０２の前端に携帯電話にさしこまれるＰＤＣプラグ１２０と、本体１０２の後端に設けられて一般の携帯電話の充電器のアウトプットプラグとはまり合うはめ口１２１と、ＰＤＣプラグ１２０の後側面に設けられるおしボタン１２２と、はめ口１２１の内部に設けられる電池室１２３と、本体１０２の中段部に設けられる切り換えスイッチ１２４と、ＰＤＣプラグ１２０の上に設置されおしボタン１２２にコントロールされる弾性具２００と、はめ口１２１の内部に設けられるプラグ孔２１０と、孔２１０の両側に設けられる二本の棒２１１と、電池室１２３の上方にかぶさる上蓋２３０と、切り換えスイッチ２４の中に設けられる保護電気回路と、充電回路(図示せず)とで構成されている。
本実施例の緊急充電器１０２を使用する時は、先にＰＤＣプラグを携帯電話のＰＤＣプラグはめ口にさしこみ、直接、緊急充電器１０２の中の電池の電力を携帯電話に直接使用させる。或いは万一の場合、ほかの人の充電器を借用して、本案の緊急充電器１０２のはめ口１２１に連結して携帯電話の電池を充電することもできる。もしも、緊急充電器１０２の中の乾電池が普通一般の非充電用のものならば、切り換えスイッチ１２４を、非乾電池充電をしないショート回路に切り換える。もしも、緊急充電器１０２の中の電池が充電可能のもの、例えばニッケルカドミウム、ニッケル水素、リチウム電池であれば、切り換えスイッチ１２４を充電回路に切りかえる。
【特許文献１】実用新案登録第３０９４０３３号公報
【考案の開示】
【考案が解決しようとする課題】
【０００３】
しかしながら、従来の携帯電話用緊急充電器１００には、以下に示す改善すべき点があった。携帯電話用緊急充電器１００のＰＤＣプラグ１２０は外部に露出したままであるため、破損等の不具合が生ずる可能性が高い、という改善すべき点がある。また、ＰＤＣプラグ１２０が外部に露出しているために、携帯電話用緊急充電器１００のデザイン性も高くない、という改善すべき点がある。
そこで、上記改善すべき点を解決するために、本考案では、充電のための接続部を容易に保護することができる、デザイン性に優れた充電装置を提供する事を目的とする。
【課題を解決するための手段】
【０００４】
本考案に係る考案者は、様々な検討を重ねた結果、本考案に係る装飾装置を完成した。以下に、本考案における課題を解決するための手段及び考案の効果を示す。
本考案に係る第１の充電装置は、充電しようとする機器に接続するための第１の接続部、前記接続部を介して前記機器を充電する為の充電池部、前記充電池部を充電するための外部機器を接続するための第２の接続部、前記第１の接続部、前記充電池部、及び前記第２の接続部を有する筐体、前記筐体に対して取り付け、取り外しが可能な蓋部であって、当該蓋部を前記筐体に取り付けた際に、前記第１の接続部を保護する蓋部、を有することを特徴とする。
これにより、充電装置を機器の充電に用いないときは、第１の接続部を保護することができる。
【０００５】
本考案に係る第２の充電装置は、充電しようとする機器に接続するための第１の接続部、前記接続部を介して前記機器を充電する為の充電池部、前記充電池を充電するための外部機器を接続するための第２の接続部、前記第１の接続部、前記充電池部、及び前記第２の接続部を有する筐体、前記筐体に対して取り付け、取り外しが可能な蓋部であって、当該蓋部を前記筐体に取り付けた際に、前記第１の接続部を保護する蓋部、を有する充電装置であって、前記蓋部は、ジョイント部を介して前記筐体と接続されており、前記ジョイント部は、前記筐体に対して、所定の方向にスライド可能であり、かつ、所定の位置において、回転可能である。
これにより、充電装置を機器の充電に用いないときは、第１の接続部を保護することができる。また、筐体に対する取り付け、取り外しに際しジョイント部を回転させる構造を採用したことにより、装置外観のデザイン性を高くすることができる。
【０００６】
また、本考案に係る第３の充電装置は、充電しようとする機器に接続するための第１の接続部、前記接続部を介して前記機器を充電する為の充電池部、前記充電池を充電するための外部機器を接続するための第２の接続部、前記第１の接続部、前記充電池部、及び前記第２の接続部を有する筐体、前記筐体に対して取り付け、取り外しが可能な蓋部であって、当該蓋部を前記筐体に取り付けた際に、前記第１の接続部を保護する蓋部、を有する充電装置であって、前記蓋部は、前記筐体の側面を覆うものである。なお、好ましくは、蓋部は、ゴム素材で形成させる。
これにより、充電装置を機器の充電に用いないときは、同様に、第１の接続部を保護することができる。また、同様に、筐体に対する取り付け、取り外しに際し、筐体の側面を覆う構造を採用したことにより、装置外観のデザイン性を高くすることができる。
また、蓋部をゴム素材で形成させることにより、落下時等の衝撃を緩和することができる。
【０００７】
本考案に係る充電装置では、前記充電池部を電源として発光する発光部を有する。
これにより、発光部のために特別に電源を用意する必要がないので、発光機能を有する充電装置をコンパクトにすることができる。
【０００８】
本考案に係る充電装置では、前記充電池部を電源として警報を発する警報部を有する。
これにより、警報部のために特別に電源を用意する必要がないので、警報機能を有する充電装置をコンパクトにすることができる。
【０００９】
本考案に係る充電装置では、前記警報部は、所定の位置から取り外されることによって、警報を発する作動スイッチ、を有し、前記作動スイッチは、前記蓋部の動作に連動して、前記所定の位置から取り外される。
これにより、作動スイッチを蓋部の大きさとすることができるので、警報部の操作性を向上させることができる。また、充電装置に警報機能を付与するにあたり、デザイン性を高くすることができる。
【考案の効果】
【００１０】
本考案に係る充電装置によれば、充電装置を機器の充電に用いないときは、第１の接続部を保護することができ、また、装置外観のデザイン性を高くすることができる。
【考案を実施するための最良の形態】
【００１１】
以下、本考案の実施例を図面を用いて詳細に説明していく。
【実施例１】
【００１２】
本考案に係る充電器１を図１を用いて説明する。充電器１は、筐体１１、カバー１３、ジョイント１５、充電プラグ１７、ＡＣアダプター電源ソケット１９、ＬＥＤミニライト２１、ミニライトスイッチ２３、及びストラップ接続孔２５を有している。
【００１３】
筐体１１は、角柱状の形状を有しており、内部に充電池を有している。また、筐体１１は、内部に充電池と充電プラグ１７及びＡＣアダプター電源ソケット１９とを接続するための接続回路を有している。
筐体１１は、側面Ｐ１及び側面Ｐ１に対向する側面Ｐ３（図示せず）にジョイント１５を接続するためのジョイント接続孔２７を有している。ジョイント接続孔２７にジョイント１５の端部ｔ１５に設けられている凸部(図示せず)をはめ込むことによって、ジョイント１５を筐体１１に接続する。ジョイント接続孔２７は、長溝形状を有している。凸部をジョイント接続孔２７内に沿って移動させることによって、ジョイント１５をジョイント接続孔２７に沿って移動させることができる。
ここで、ジョイント１５は、カバー１３と接続されている。よって、凸部をジョイント接続孔２７に沿って移動させることによって、カバー１３もジョイント接続孔２７に沿って移動させることができる。これにより、筐体１１にカバー１３を取り付けたり、筐体１１からカバー１３を取り外したりすることができる。
【００１４】
充電プラグ１７は、筐体１１の上面Ｐ５に配置されている。充電プラグ１７は、カバー１３を筐体１１に取り付けることによって、カバー１３により保護される。また、充電プラグ１７は、筐体１１からカバー１３を取り外すと、外部に露出する。
充電プラグ１７は、携帯電話の充電用ソケットに接続される。充電プラグ１７を携帯電話の充電用ソケットに接続すると、筐体１１に内蔵されている充電池による携帯電話の充電が可能となる。
【００１５】
ＡＣアダプター電源ソケット１９は、充電プラグ１７が配置されている上面Ｐ５に対向する下面Ｐ７に配置されている。ＡＣアダプター電源ソケット１９には、携帯電話用ＡＣアダプターの接続プラグが接続される。ＡＣアダプター電源ソケット１９に携帯電話用ＡＣアダプターの接続プラグを接続すると、コンセントに接続された携帯電話用ＡＣアダプターを介した、筐体１１が内蔵する充電池の充電が可能となる。
【００１６】
また、下面Ｐ７には、ＬＥＤミニライト２１が配置されている。ＬＥＤミニライト２１は、ミニライトスイッチ２３が押されると、点灯する。ＬＥＤミニライト２１は、筐体１１が内蔵する充電池を電源として、点灯する。
【００１７】
次に、充電器１の使用方法を図２〜図４を用いて説明する。
図２Ａに示すように、充電器１を使用するユーザは、ジョイント１５を矢印ａ２１方向へスライドさせる。これにより、図２Ｂに示すように、ジョイント１５とカバー１３とは接続されているので、カバー１３を筐体１１から取り外すことができる。そして、充電プラグ１７を露出させることができる。
【００１８】
図３に示すように、所定の位置までジョイント１５をスライドさせると、ユーザは、ジョイント１５及びカバー１３を矢印ａ２３方向へ回転させる。これにより、充電プラグ１７を露出させ、携帯電話の充電用ソケットに挿入しやすくすることができる。
そして、ユーザは、ジョイント１５を、充電プラグ１７とは正反対の位置まで回転させる。さらに、ユーザは、その位置でジョイント１５を矢印ａ２９方向へスライドさせることによって、カバー１３をＡＣアダプター電源ソケット１９が存在する側で筐体１１に取り付けることができる。
【００１９】
図４に示すように、ユーザは、露出させた充電プラグ１７を、携帯電話３１の充電用ソケット（図示せず）に挿入する。これにより、充電器１が有する充電池によって、携帯電話を充電することができる。
次に、充電器１の充電池を充電する方法を図５を用いて説明する。ユーザは、携帯電話のＡＣアダプター（図示せず）に設けられている充電プラグ４１を、充電器１のＡＣアダプター電源ソケット１９に接続する。このように、充電器１の充電池を充電する際に携帯電話のＡＣアダプターを用いるため、ユーザは何ら新たな機器を用意する必要はなく、ユーザに対する経済的負担を発生させない。
【００２０】
[他の実施例]
（１）前述の実施例１においては、追加の機能として、充電器１にはＬＥＤミニライト２１を設置したが、防犯ブザーを設置するようにしてもよい。この場合、ジョイント１５を介したカバー１３の動作に合わせて、防犯ブザーの動作を連動させるようにしてもよい。例えば、図６Ａに示すように、カバー１３を筐体１１から取り外す際に、ジョイント１５を矢印ａ２１方向へ移動させるが、さらに、図６Ｂに示すように、ジョイント１５を矢印ａ２１方向移動させることによって、防犯ブザーの動作ピン６５が所定の位置から取り除かれ、防犯ブザーが動作するようにする。
なお、防犯ブザーの動作ピンについては、従来の防犯ブザーと同様に、ジョイント１５の動作に連動しないようにしてもよい。
【００２１】
（２）前述の実施例１においては、筐体１１の側面については限定していないが、例えば、筐体１１の一つの側面を鏡面加工するようにしてもよい。これにより、充電器１を鏡として用いることもできる。
【００２２】
（３）前述の実施例１においては、充電器１の充電池の充電については、携帯電話のＡＣアダプターを用いることとしたが、充電池を充電できるものであれば、例示のものに限定されない。例えば、充電器１の側面に太陽電池パネルを設置し、太陽電池パネルにより発生した電力を用いて、充電池を充電するようにしてもよい。
【００２３】
（４）前述の実施例１においては、充電器１は携帯電話を充電することとしたが、充電することができる機器であれば、例示のものに限定されない。例えば、ＰＤＡやパーソナルコンピュータ等、種々の機器であってもよい。この場合、充電しようとする機器のソケットの形状と充電器１の充電プラグ１７の形状とを対応させるようにすればよい。
また、ある充電プラグ１７に対して、所定のアダプターを接続し、充電しようとする機器のソケットの形状に変換するようにしてもよい。
【００２４】
（５）前述の実施例１においては、蓋部は、ジョイント部を介して筐体と接続されており、ジョイント部は、筐体に対して、所定の方向にスライド可能であり、かつ、所定の位置において回転可能であるものであったが、接続部を保護できるものであればよい。例えば、図７に示すように、蓋部は、伸縮可能なゴム素材で形成され、筐体の側面を覆うカバーのようなものであってもよい。この場合、図７に示すように、充電装置１０の側面を覆う別個独立の保護カバー３０を用意し、この保護カバー３０の伸縮を利用して、充電装置１０を入れ込むようにする。図８に示すように、充電装置１０の側面には、充電プラグ１７、ＡＣアダプター電源ソケット１９、ＬＥＤミニライト２１があり、これらを保護カバー３０で保護するのである。
【図面の簡単な説明】
【００２５】
【図１】本考案に係る充電装置１の斜視図である。
【図２】充電装置１の使用方法を示す図である。
【図３】充電装置１の使用方法を示す図である。
【図４】充電装置１の使用方法を示す図である。
【図５】充電装置１の充電池を充電する方法を示す図である。
【図６】充電装置の他の実施例を示す図である。
【図７】充電装置１０の他の実施例を示す図である。
【図８】充電装置１０の側面を示す図である。
【図９】従来の充電装置を示す図である。
【符号の説明】
【００２６】
１，１０・・・・充電装置
１１・・・・筐体
１３・・・・カバー
１５・・・・ジョイント
１７・・・・充電プラグ
１９・・・・ＡＣアダプター電源ソケット
２１・・・・ＬＥＤミニライト
２３・・・・ミニライトスイッチ
２５・・・・ストラップ接続孔
３０・・・・保護カバー
【図１】
0003147014.tif 000003
【図２】
0003147014.tif 000004
【図３】
0003147014.tif 000005
【図４】
0003147014.tif 000006
【図５】
0003147014.tif 000007
【図６】
0003147014.tif 000008
【図７】
0003147014.tif 000009
【図８】
0003147014.tif 000010
【図９】
0003147014.tif 000011